(57)【要約】　　　（修正有）【課題】紙のカルテが使用される場合においても、データ管理、検索等を容易にさせること。【解決手段】カルテ管理システムは、所定のドットパターンが印刷されたカルテ用紙から光学的にドットパターンを読み取ることによって記入された内容に対応するデータを取得し当該データを無線通信により送信する電子ペンと、送信されたデータを受信し管理するカルテ管理装置とを備える。カルテ管理装置は、電子ペンにより取得され送信された記入データを受信した場合に、当該記入データをデータベースに登録する記入データ登録手段と、電子ペンにより取得され送信された追加記入データを受信した場合に、追加記入データに対応する記入データがデータベースに登録されているか否かを判断する登録判断手段と、登録されていると判断された場合には、記入データに対応付けて追加記入データをデータベースに登録する追加記入データ登録手段とを備える。【選択図】　図８
2004054375.tif 000002
【特許請求の範囲】
【請求項１】
所定のドットパターンが印刷されたカルテ用紙から光学的に前記ドットパターンを読み取ることによって当該カルテ用紙に記入された内容に対応するデータを取得し当該データを無線通信により送信する電子ペンと、前記送信されたデータを受信し管理するカルテ管理装置と、を備えたカルテ管理システムであって、
前記カルテ管理装置は、
前記カルテ用紙に記入された内容に対応する記入データであって、前記電子ペンにより取得され送信された記入データを受信した場合に、当該記入データをデータベースに登録する記入データ登録手段と、
前記カルテ用紙に追加記入された内容に対応する追加記入データであって、前記電子ペンにより取得され送信された前記追加記入データを受信した場合に、当該追加記入データに対応する記入データが前記データベースに登録されているか否かを判断する登録判断手段と、
前記追加記入データに対応する記入データが登録されていると判断された場合に、当該記入データに対応付けて前記追加記入データを前記データベースに登録する追加記入データ登録手段と、を備えることを特徴とするカルテ管理システム。
【請求項２】
前記カルテ管理装置は、前記受信した記入データに基づいて、前記カルテ用紙に記入された内容を表す画像データ及び／又はテキストデータを作成するデータ作成手段をさらに備え、
前記記入データ登録手段は、前記受信された記入データに対応付けて前記作成された画像データ及び／又はテキストデータを前記データベースに登録することを特徴とする請求項１に記載のカルテ管理システム。
【請求項３】
前記カルテ管理装置は、前記受信した追加記入データに基づいて、前記カルテ用紙に追加記入された内容を表す画像データ及び／又はテキストデータを作成するデータ作成手段をさらに備え、
前記追加記入データ登録手段は、前記受信された追加記入データに対応付けて前記作成された画像データ及び／又はテキストデータを前記データベースに登録することを特徴とする請求項１に記載のカルテ管理システム。
【請求項４】
前記記入データ登録手段は、前記記入データとともに、当該記入データに対応付けて当該カルテ用紙を識別するための識別情報を前記データベースに登録することを特徴とする請求項１乃至３の何れか一項に記載のカルテ管理システム。
【請求項５】
前記登録判断手段は、前記電子ペンにより取得され送信された識別情報を利用して、前記追加記入データに対応する記入データが前記データベースに登録されているか否かを判断することを特徴とする請求項１乃至４の何れか一項に記載のカルテ管理システム。
【請求項６】
前記識別情報を入力する識別情報入力装置をさらに備えることを特徴とする請求項４又は５に記載のカルテ管理システム。
【請求項７】
前記識別情報入力装置は、前記識別情報が記録された記録媒体から当該識別情報を読み取り入力することを特徴とする請求項６に記載のカルテ管理システム。
【請求項８】
前記記録媒体は、カード型記録媒体であることを特徴とする請求項７に記載のカルテ管理システム。
【請求項９】
前記カルテ用紙には前記識別情報を記入するための欄が設けられており、
前記カルテ管理装置は、当該欄に記入された識別情報に対応する識別データであって、前記電子ペンにより取得され送信された識別データを受信した場合に、当該識別データに基づいて前記識別情報を認識する識別情報認識手段をさらに備えることを特徴とする請求項４に記載のカルテ管理システム。
【請求項１０】
前記登録判断手段は、前記識別情報に基づいて、前記追加記入データに対応する記入データが前記データベースに登録されているか否かを判断することを特徴とする請求項６乃至１０の何れか一項に記載のカルテ管理システム。
【請求項１１】
前記カルテ管理装置は、前記識別情報入力装置により入力された識別情報に基づいて、前記データベースに登録された前記データを提示するデータ提示手段をさらに備えることを特徴とする請求項６乃至８の何れか一項に記載のカルテ管理システム。
【請求項１２】
前記電子ペンにより取得され送信された前記データを受信し、前記カルテ管理装置に送信する端末装置をさらに備えることを特徴とする請求項１乃至１１のいずれか一項に記載のカルテ管理システム。
【請求項１３】
所定のドットパターンが印刷されたカルテ用紙から光学的に前記ドットパターンを読み取ることによって当該カルテ用紙に記入された内容に対応するデータを取得し当該データを無線通信により送信する電子ペンと、前記送信されたデータを受信し管理する前記カルテ管理装置と、を備えたカルテ管理システムにおける前記カルテ管理装置であって、
前記カルテ用紙に記入された内容に対応する記入データであって、前記電子ペンにより取得され送信された当該記入データを受信した場合に、当該記入データをデータベースに登録する記入データ登録手段と、
前記カルテ用紙に追加記入された内容に対応する追加記入データであって、前記電子ペンにより取得され送信された前記追加記入データを受信した場合に、当該追加記入データに対応する記入データが前記データベースに登録されているか否かを判断する登録判断手段と、
前記追加記入データに対応する記入データが登録されていると判断された場合には、当該記入データに対応付けて前記追加記入データを前記データベースに登録する追加記入データ登録手段と、を備えることを特徴とするカルテ管理システムにおけるカルテ管理装置。
【請求項１４】
所定のドットパターンが印刷されたカルテ用紙から光学的に前記ドットパターンを読み取ることによって当該カルテ用紙に記入された内容に対応するデータを取得し当該データを無線通信により送信する電子ペンと、前記送信されたデータを受信し管理する前記カルテ管理装置と、を備えたカルテ管理システムにおける前記カルテ管理装置に含まれるコンピュータを、
前記カルテ用紙に記入された内容に対応する記入データであって、前記電子ペンにより取得され送信された当該記入データを受信した場合に、当該記入データをデータベースに登録する記入データ登録手段、
前記カルテ用紙に追加記入された内容に対応する追加記入データであって、前記電子ペンにより取得され送信された前記追加記入データを受信した場合に、当該追加記入データに対応する記入データが前記データベースに登録されているか否かを判断する登録判断手段、
前記追加記入データに対応する記入データが登録されていると判断された場合には、当該記入データに対応付けて前記追加記入データを前記データベースに登録する追加記入データ登録手段、として機能させることを特徴とするカルテ管理処理プログラム。
【請求項１５】
インクペンユニット及び光学的にドットパターンを読み取る読取ユニットを備える電子ペンにより記入される電子ペン用カルテ用紙であって、
前記読取ユニットにより光学的に読取可能に設けられたドットパターン領域と、
前記ドットパターン領域上に形成され、診療情報を記入するための診療情報記入領域と、を有し、前記診療情報記入領域内の前記ドットパターンは当該診療情報記入領域内における位置情報と対応付けられていることを特徴とするカルテ用紙。
【請求項１６】
前記ドットパターン領域上に形成され、診療部位の形状を示す診療部位図示領域をさらに有し、前記診療部位図示領域内の前記ドットパターンは、当該診療部位図示領域内における位置情報と対応付けられていることを特徴とする請求項１６に記載のカルテ用紙。
【請求項１７】
前記ドットパターン領域上に形成され、診療部位の形状を示す診療部位図示領域をさらに有し、前記診療部位図示領域内の前記ドットパターンは、当該診療部位毎に割り当てられていることを特徴とする請求項１６に記載のカルテ用紙。
【発明の詳細な説明】
【０００１】
【発明の属する技術分野】
本発明は、医療機関等で作成されるカルテに記入されるデータを電子化し、管理するカルテ管理システム及び方法の技術分野に関する。
【０００２】
【従来の技術】
従来より、この種のシステムとして医師に対する入力支援について数多くの提案がなされており、例えば、特開２００１−８４３１７号公報には、カルテ電子化処理の方法及びシステム等が開示されている。かかるカルテ電子化処理の方法及びシステム等では、ペンタブレット上に、入力画面としてカルテフォーム、及び参照画面として前回のカルテのイメージとを表示させ、カルテフォームに対しスタイラスペンによる手書き入力を可能としている。そして、そのカルテフォームに手書き入力された内容は、テキストデータ及びイメージ（画像）データで記録手段におけるファイルに登録される。
【０００３】
【発明が解決しようとする課題】
このように、手書き入力された内容が、イメージデータとして記録されることによって、データの真正性が確保されることになる。さらに、手書き入力された内容が、テキストデータとして登録されることによって、データ管理やデータ検索が容易となり、また、データ分析も容易になる。
【０００４】
しかしながら、従来から、大多数の医師は、紙のカルテを使用しており、ペン等を用いて紙のカルテに診断結果等を記入することに慣れている。このため、医師が、スタイラスペンを用いてペンタブレット上に診断結果等を手書き入力することよりも、ペン等を用いて紙のカルテに診断結果等を記入することの方が、使い易さや迅速性等の面において勝っていることは明らかである。加えて、紙のカルテの方が持ち運び等に便利な場合もある。
【０００５】
本発明は、以上の点に鑑みてなされたものであり、紙のカルテが使用される場合においても、データ管理、検索等を容易にさせることが可能なカルテ管理システム、カルテ管理システムにおけるカルテ管理装置及びカルテ管理処理プログラムを提供することを課題とする。
【０００６】
【課題を解決するための手段】
本発明の１つの観点では、所定のドットパターンが印刷されたカルテ用紙から光学的に前記ドットパターンを読み取ることによって当該カルテ用紙に記入された内容に対応するデータを取得し当該データを無線通信により送信する電子ペンと、前記送信されたデータを受信し管理する前記カルテ管理装置と、を備えたカルテ管理システムであって、前記カルテ管理装置は、前記カルテ用紙に記入された内容に対応する記入データであって、前記電子ペンにより取得され送信された当該記入データを受信した場合に、当該記入データをデータベースに登録する記入データ登録手段と、前記カルテ用紙に追加記入された内容に対応する追加記入データであって、前記電子ペンにより取得され送信された前記追加記入データを受信した場合に、当該追加記入データに対応する記入データが前記データベースに登録されているか否かを判断する登録判断手段と、前記追加記入データに対応する記入データが登録されていると判断された場合には、当該記入データに対応付けて前記追加記入データを前記データベースに登録する追加記入データ登録手段と、を備える。
【０００７】
上記カルテ管理システムによれば、あるカルテ用紙に時間をおいて順次記入された内容が自動的に対応付けられてデータベースに登録されるので、紙のカルテが使用される場合においても、データ管理、検索等を容易にさせることができる。また、医師は、自らデータ入力を意識することなく、従来と同様に紙のカルテに診察記録等を記入することができるので、診察等の迅速化を維持することができる。
【０００８】
上記カルテ管理システムにおいて、前記カルテ管理装置は、前記受信された記入データに基づいて、前記カルテ用紙に記入された内容を表す画像データ及び／又はテキストデータを作成するデータ作成手段をさらに備え、前記記入データ登録手段は、前記受信された記入データに対応付けて前記作成された画像データ及び／又はテキストデータを前記データベースに登録する。また、前記カルテ管理装置は、前記受信された追加記入データに基づいて、前記カルテ用紙に追加記入された内容を表す画像データ及び／又はテキストデータを作成するデータ作成手段をさらに備え、前記追加記入データ登録手段は、前記受信された追加記入データに対応付けて前記作成された画像データ及び／又はテキストデータを前記データベースに登録する。従って、医師は、過去に自分がカルテ用紙に記入した自筆の内容を確認することができる。
【０００９】
上記カルテ管理システムにおいて、前記記入データ登録手段は、前記記入データとともに、当該記入データに対応付けて当該カルテ用紙を識別するための識別情報を前記データベースに登録する。
【００１０】
上記カルテ管理システムにおいて、前記カルテ管理装置は、前記識別情報入力装置により入力された識別情報に基づいて、前記データベースに登録された前記データを提示するデータ提示手段をさらに備える。従って、医師等は、識別情報によりデータベースに登録された過去のカルテを確認することができる。ここで、カルテ管理システムが、前記識別情報を入力する識別情報入力装置をさらに備えるようにしてもよい。また、その識別情報入力装置は、前記識別情報が記録された記録媒体から当該識別情報を読み取り入力するようにしてもよい。また、その記録媒体は、カード型記録媒体であってもよい。
【００１１】
上記カルテ管理システムにおいて、前記カルテ用紙には前記識別情報を記入するための欄が設けられており、前記カルテ管理装置は、当該欄に記入された識別情報に対応する識別データであって、前記電子ペンにより取得され送信された当該識別データを受信した場合に、当該識別データに基づいて前記識別情報を認識する識別情報認識手段をさらに備えるようにしてもよい。
【００１２】
上記カルテ管理システムにおいて、前記登録判断手段は、前記識別情報に基づいて、前記追加記入データに対応する記入データが前記データベースに登録されているか否かを判断するようにしてもよい。
【００１３】
上記カルテ管理システムにおいて、前記電子ペンにより取得され送信された前記データを受信し、前記カルテ管理装置に送信する端末装置をさらに備えるようにしてもよい。
【００１４】
本発明の他の観点では、インクペンユニット及び光学的にドットパターンを読み取る読取ユニットを備える電子ペンにより記入される電子ペン用カルテ用紙は、前記読取ユニットにより光学的に読取可能に設けられたドットパターン領域と、前記ドットパターン領域上に形成され、診療情報を記入するための診療情報記入領域と、を有し、前記診療情報記入領域内の前記ドットパターンは当該診療情報記入領域内における位置情報と対応付けられている。なお、診療情報とは、人体の患部や臓器などの診療部位に対する記入情報、診察記録、投薬内容などの情報を含む。また、カルテ用紙の語は、病院や医院などにおいて、診断や検査その他に関連する情報を記入するための各種の用紙を含むものとする。
【００１５】
上記のカルテ用紙によれば、医師などが診療情報記入領域内に診療情報に関連する図形や文字を記入すると、電子ペンの読み取りユニットが記入位置のドットパターンを取得することにより記入内容をデータとして取得することができる。よって、電子ペンにより、医師などがカルテ用紙に記入した図形や文字などをデータとして取得することができる。
【００１６】
上記のカルテ用紙は、前記ドットパターン領域上に形成され、診療部位の形状を示す診療部位図示領域をさらに有し、前記診療部位図示領域内の前記ドットパターンは、当該診療部位図示領域内における位置情報と対応付けられているように構成することもできる。また、上記のカルテ用紙は、前記ドットパターン領域上に形成され、診療部位の形状を示す診療部位図示領域をさらに有し、前記診療部位図示領域内の前記ドットパターンは、当該診療部位毎に割り当てられているように構成することもできる。これにより、人体の患部などの診療部位が図示された領域内に医師などが電子ペンで図形や文字、その他の記入を行うと、電子ペンはその記入部位を示すデータを取得することができる。ここでの診療部位には、人間や動物などの診察対象の身体全体もしくは特定の部位、臓器などが含まれる。
【００１７】
【発明の実施の形態】
以下、図面を参照して本発明の好適な実施の形態について説明する。
【００１８】
［カルテ管理システムの全体構成］
先ず、本発明の一実施形態に係るカルテ管理システムの全体構成について説明する。図１はカルテ管理システムの全体構成例を示す図である。図１に示すように、カルテ管理システム１は、医師等により使用される電子ペン１０、病院の受付及び診察室に設置される端末装置２５、カルテ管理装置２７及び、病院の薬局等に設置される端末装置２８を含んで構成されている。
【００１９】
端末装置２５、カルテ管理装置２７及び端末装置２８は、ＬＡＮ（Ｌｏｃａｌ　ＡｒｅａＮｅｔｗｏｒｋ）等のネットワーク２９を介して相互に接続され、データ通信が可能となっている。
【００２０】
また、図１に示すように、電子ペン１０は、所定のドットパターンが印刷されたカルテ用紙２０と組み合わせて使用される。この電子ペン１０は、デジタルペンなどと呼ばれるペン型入力デバイスであり、その代表的なものとしてスウェーデンのＡｎｏｔｏ社が開発した「アノトペン（Ａｎｏｔｏ　ｐｅｎ）」を適用できる。電子ペン１０は、通常のインクペンと同様のペン先部１７を備えており、医師等は通常のインクペンと同様にカルテ用紙２０上に文字などを記入することになる。また、電子ペン１０及び端末装置２５は、それぞれ、公知の近距離無線通信規格であるＢｌｕｅｔｏｏｔｈ対応の通信ユニットを備えており、相互にデータ通信が可能となっている。
【００２１】
次に、カルテ管理システム１の各構成要素の構成及び機能について説明する。
【００２２】
［電子ペン］
まず始めに、電子ペン１０について説明する。図２は電子ペン１０の構造を示す機能ブロック図である。図２に示すように、電子ペン１０は、その内部にプロセッサ１１、メモリ１２、Ｂｌｕｅｔｏｏｔｈ対応の通信ユニットであるＢｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２３】
電子ペン１０は、ペン先部１７によりカルテ用紙２０上に描かれたインクの軌跡をデータ化するのではなく、カルテ用紙２０上で電子ペン１０が移動した軌跡座標をデータ化する。赤外線ＬＥＤ１５がカルテ用紙２０上のペン先部１７近傍を照明しつつ、カメラ１６がカルテ用紙２０にプリントされているドットパターンを読み取り、データ化する。つまり、電子ペン１０はカルテ用紙２０上で、医師等が電子ペン１０を移動させることにより生じるストロークを画像データ又はベクトルデータとして取得することができる。
【００２４】
圧力センサ１８は、医師等が電子ペン１０によりカルテ用紙上に文字などを記入する際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、医師等が電子ペン１０でカルテ用紙２０上に文字などを記入する（書く）と、ペン先部１７には筆圧がかかる。よって、所定値以上の筆圧が検出されたときに、医師等が記入を開始したと判定して、赤外線ＬＥＤ１５及びカメラ１６を作動する。
【００２５】
カメラ１６はカルテ用紙２０上のドットパターンを読み取り、そのパターンデータをプロセッサ１１に供給する。プロセッサ１１は、供給されたドットパターンから、カルテ用紙２０上でのＸ／Ｙ座標を算出する。
【００２６】
プロセッサ１１は、医師等による記入が行われる間に、筆圧の配列データ及びＸ／Ｙ座標データを取得し、タイムスタンプ（時間情報）と関連付けてメモリ１２に記憶していく。よって、メモリ１２内には医師等の記入内容に対応するデータ（以下、「記入データ」という）が時系列で記憶されていく。メモリ１２の容量は例えば１Ｍバイト程度とすることができる。
【００２７】
医師等により送信指示がなされるまでは、取得された全てのデータはメモリ１２内に保持される。そして、医師等が送信指示を行うと、Ｂｌｕｅｔｏｏｔｈトランシーバ１３により、電子ペン１０と所定距離（例えば、１０ｍ）内にある端末装置２５へメモリ１２に記憶された記入データが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、医師等はカルテ用紙２０上に再度記入を行う必要がある。なお、この場合、医師等はカルテ用紙２０上にインクペンで書かれた文字などをなぞればよいことになる。
【００２８】
電子ペン１０自体は、送信ボタンなどの機能ボタンを備えておらず、送信指示その他の指示は、医師等がカルテ用紙２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、Ｂｌｕｅｔｏｏｔｈトランシーバ１３にメモリ１２に記憶された記入データを供給し、端末装置２５への送信を行わせる。なお、電子ペン１０はディスプレイやボタンなどを持たないが、データの送信完了を電子ペンの振動により示すことができる。
【００２９】
バッテリー１４は電子ペン１０内の各要素に電源供給するためのものであり、例えば電子ペンのキャップ（図示せず）により電子ペン１０自体の電源のオン／オフを行うことができる。
【００３０】
このように、電子ペン１０は医師等がカルテ用紙２０上に記入した文字などに対応する座標データ及び筆圧データを取得して近傍の端末装置２５へ送信する機能を有するが、電子ペン１０のペン先部１７は通常のインクペンとなっているため、カルテ用紙２０上に記述した内容はオリジナルの原本として残るという特徴がある。即ち、紙の原本に対して記述するのと同時に、その内容を座標データなどの形態でリアルタイムに電子化することができる。
【００３１】
なお、電子ペン１０の標準機能によれば、電子ペン１０により得られるデータは、原則として座標データ又はベクトルデータの形態であり、テキストデータではない。但し、電子ペン１０は標準機能として、カルテ用紙２０上に設けられた専用エリアに記入することにより、英数字に限りテキスト化する機能を備えている。なお、端末装置２５などにおいて、電子ペン１０から送信された座標データやベクトルデータから、文字認識アプリケーションを利用してテキストデータを得ることはもちろん可能である。
【００３２】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、Ｅ−ＭＡＩＬアドレス、空きメモリ容量、名前、住所、ファックス／電話番号、携帯電話番号などを保持することができる。
【００３３】
次に、電子ペンにより医師等が記入した内容のＸ／Ｙデータを取得する方法について説明する。前述のようにカルテ用紙２０には、所定のドットパターンが印刷されている。電子ペン１０のカメラ１６は、医師等がカルテ用紙２０上に記述したインクの軌跡を読み取るのではなく、カルテ用紙２０上のドットパターンを読み取る。実際、図１に示すように、赤外線ＬＥＤ１５による照明領域及びカメラ１６の撮影領域（照明領域内に位置する）は、ペン先部１７がカルテ用紙２０に接触する位置とはずれている。
【００３４】
ドットパターンはカーボンを含む専用インキなどで印刷されており、カメラ１６はその専用インキによるパターンのみを認識することができる。専用インキ以外のインキ（カーボンを含まない）により、カルテ用紙上に罫線や枠などを印刷しても、電子ペンはそれらを認識することはない。よって、カルテ用紙２０は、専用インキ以外のインキで入力枠や罫線、注意書きなどが印刷されて作成される。
【００３５】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、カルテ用紙上の位置座標が決定される。図４（ａ）に例示するように、縦横２ｍｍの範囲内に３６個のドットが格子状に配置され、これらのドットにより示されるデータの配列（図４（ｂ））が、そのカルテ用紙上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応するカルテ用紙上の位置座標（即ち、そのドットパターンがそのカルテ用紙上のどの位置にあるのか）をリアルタイムで算出する。なお、ドットパターンを認識する最小単位は２ｍｍ×２ｍｍであり、カメラ１６は毎秒１００回程度の撮影を行う。
【００３６】
次に、カルテ用紙２０の詳細について説明する。カルテ用紙の構造の一例を図５に示す。図示のように、カルテ用紙２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３７】
ドットパターン３２は、１枚のカルテ用紙の中で重複することがないが、同じフォーマットのカルテ用紙（未記入のもの）には、基本的に同一のドットパターンが印刷されている。よって、医師等がカルテ用紙上のある位置に電子ペン１０で必要事項を記入すると、電子ペン１０は、その位置に対応するドットパターンを取得する。よって、電子ペン１０を利用することにより、カルテ用紙上の記入箇所の位置を特定することができる。
【００３８】
前述のように、同じフォーマットのカルテ用紙上には同一のドットパターンが印刷されている。複数の医師等が同一フォーマットのカルテ用紙を使用する場合には、各カルテ用紙を区別する必要がある。この区別は、電子ペン１０により取得された電子データに対して識別情報（ＩＤ）を付与することにより行うことができる。
【００３９】
カルテ用紙に対する記入データを区別する１つの具体的な方法は、医師等がカルテ用紙上に必要事項を記入し、その記入内容を電子ペン１０から端末装置２５に送信した後、端末装置２５の入力部を操作してカルテ番号の如き識別情報（１枚のカルテに対して付与される識別情報である）を入力する方法である。こうして入力された識別情報は、電子ペン１０から端末装置２５へ送信された記入データと対応付けされて、その後の処理に供される。
【００４０】
カルテ用紙に対する記入データを区別するもう１つの方法は、医師等がカルテ用紙に対して上記の識別情報を入力する方法である。具体的には、図１０（ａ）〜（ｃ）に示すように、カルテ用紙上に識別番号入力欄を設け、それに対して医師等が入力した識別番号を電子データとして取得し、記入データと対応付けて処理する。
【００４１】
なお、図１０（ａ）及び（ｂ）は、医師等が、入力すべき数字に対応するボックスにチェックを付すことにより、カルテ番号などの識別情報を入力する場合の識別情報入力欄の例を示す。また、図１０（ｃ）に示す入力欄を使用する方法は、予めカルテ用紙上に、カルテ番号などの識別番号のバーコードデータを印刷したシール紙を貼り付けて使用する。このシール紙は所定のドットパターンが予め印刷されており、さらにドットパターンが欠落した帯状のパターンが印刷されている。医師等がバーコード状の部分に横線を入力すると、電子ペン１０はシール紙上のドットパターンを検出することになるが、帯状のパターン部分にはドットパターンが印刷されていないので、図１０（ｃ）に示すように、電子ペン１０が取得したデータには欠落が生じる。よって、その欠落部の情報からバーコードパターンを検出し、予め決定されたカルテ番号と対応付ける。なお、上記のような電子ペンを利用した識別情報の入力方法は、特願２００２−１４８６９９に記載されている。
【００４２】
なお、カルテ番号などの識別番号を発行する方法としては、以下の方法が挙げられる。１つの方法は、カルテ管理装置２７がカルテ用紙に対する記入データを最初に受信したときに、カルテ番号としてユニークな番号を発行する方法である。これは、具体的には、後述する図８（ｃ）の処理において、電子ペン１０を利用して患者などがカルテ用紙に記入した記入データが端末装置２５を介してカルテ管理装置２７に送信されたときに、カルテ管理装置２７が順次カルテ番号を発行する。そして、受診した記入データを、発行したカルテ番号と対応付けて記憶する。
【００４３】
もう１つの方法は、予めカルテ用紙毎にカルテ番号を発行し、カルテ用紙上に印刷しておく方法である。この場合には、カルテ用紙には、カルテ番号が印刷されている他に、カルテ番号入力欄が設けられる。患者はそのカルテに対して必要事項を記入する際に、カルテ用紙に印刷されているカルテ番号をカルテ番号入力欄に数値などの形式で電子ペン１０を利用して記入する。これにより、カルテ用紙に対する記入データとカルテ番号との対応付けがなされる。
【００４４】
図６にカルテ用紙２０における図案３４の一例を示す。図示のように、カルテ用紙２０には、図案として、複数の記入欄３５〜４０や、送信ボックス４１が設けられている。また、図６には明確に図示されていないが、実際にはドットパターンがカルテ用紙２０の全面に印刷されており、その上に記入欄３５〜４０や、送信ボックス４１が通常のインキにより印刷されている。医師等は、ドットパターンを意識することなく、従来からあるカルテと同様に、電子ペン１０を使用して必要事項をカルテ用紙２０の各記入欄に記入すればよい。
【００４５】
カルテ用紙２０上の領域は大きく２種類の領域に分けることができる。１つは記入エリアであり、電子ペン１０による記入内容をそのまま情報として取り扱うエリアである。図６の例では複数の記入欄３５〜４０がこれに該当する。これらの記入欄３５〜４０への記入データは、上述したように、メモリ１２に記憶される。例えば、記入欄３５〜３７には、例えば、患者又は病院の職員によって必要事項（受信日、ＩＤ（識別情報）、患者の氏名等）が記入され、それらに対応するデータが記入データとしてメモリ１２に記憶される。その後、記入欄３８および３９には、医師によって診察記録および投薬内容が記入され、それらに対応するデータが追加記入データとしてメモリ１２に記憶される。また、医師が記入欄４０内に示された全身、胸部、胃部の形状図上における疾患部位に対し印を付けることによって、それに対応するデータ（全身、胸部、胃部の疾患部位を示すデータ）が追加記入データとしてメモリ１２に記憶される。
【００４６】
カルテ用紙２０上の領域のうち、もう１つは機能エレメントであり、対応するエリア内に電子ペン１０でチェックを記入した際に、予めそのエリアに対して定義されているアクション、指示などを実行するようになっている。図６の例における送信ボックス４１がこれに該当する。送信ボックス４１は前述したように電子ペン１０内に記憶されている記入データを近傍の端末装置２５へ送信するための指示を行う際に使用される。
【００４７】
医師等が送信ボックス４１内に電子ペン１０でチェックを記入すると、電子ペン１０が送信ボックス内のドットパターンを読み取る。当該パターンは送信指示に対応付けられており、電子ペン１０内のプロセッサ１１はＢｌｕｅｔｏｏｔｈトランシーバ１３にメモリ１２に記憶された記入データの送信命令を発する。これにより、Ｂｌｕｅｔｏｏｔｈトランシーバ１３は、当該記入データを無線通信により端末装置２５に送信することになる。
【００４８】
［端末装置］
次に、端末装置２５について説明する。端末装置２５には、Ｂｌｕｅｔｏｏｔｈ対応の通信ユニット及び、ネットワーク２９を介してカルテ管理装置２７に接続するための通信ユニットを備えたＰＣ（Ｐｅｒｓｏｎａｌ　ｃｏｍｐｕｔｅｒ）等の端末装置が適用可能である。なお、端末装置２５に、携帯電話機、ＰＤＡ（Ｐｅｒｓｏｎａｌ　Ｄｉｇｉｔａｌ　Ａｓｓｉｓｔａｎｔ）等の携帯型端末装置を適用するようにしてもよい。この場合、端末装置２５は、移動体通信網やインターネット等により構築されたネットワークを介してカルテ管理装置２７に接続することになる。
【００４９】
電子ペン１０のＢｌｕｅｔｏｏｔｈトランシーバ１３により送信された上記記入データは、端末装置２５の通信ユニットによって受信される。端末装置２５は、上記記入データを受信すると、ネットワーク２９を介してカルテ管理装置２７に当該記入データをカルテ管理装置２７に送信する。
【００５０】
なお、電子ペン１０は、メモリ１２に記憶された記入データを、端末装置２５を介さずに、直接、カルテ管理装置２７に送信するように構成してもよい。かかる場合、カルテ管理装置２７には、Ｂｌｕｅｔｏｏｔｈ対応の通信ユニットが備えられる。
【００５１】
［カルテ管理装置］
次に、カルテ管理装置２７について説明する。図７はカルテ管理装置２７の構造を示す機能ブロック図である。図７に示すように、カルテ管理装置２７は、その内部に処理部２７１、記憶部２７２及び通信部２７３を備える。
【００５２】
処理部２７１は、ＣＰＵを主体として構成され、所定のプログラムに従いカルテ管理装置２７全体を制御する。また、処理部２７１は、記憶部２７２に記憶されたカルテ管理処理プログラムにより、記入データ登録手段、識別情報認識手段、登録判断手段、追加記入データ登録手段、画像データ作成手段、データ提示手段として機能する。
【００５３】
記憶部２７２は、ＲＡＭ、ハードディスク等の記録媒体により構成されている。また、記憶部２７２には、カルテ管理データベース２７２ａが論理的に構築されている。このカルテ管理データベース２７２ａには、カルテ用紙２０上で記入された内容（電子ペンにより取得され、端末装置２５から送信された記入データ）がカルテ用紙毎（つまり、カルテ番号毎）に対応付けられて登録される。つまり、カルテ管理データベース２７２ａには、カルテ番号毎に、受信日、ＩＤ（識別情報）、患者の氏名、住所、電話番号、生年月日、診察記録、投薬内容などが対応付けられて記憶される。
【００５４】
通信部２７３は、ネットワーク２９に接続し、端末装置２５及び端末装置２８との間でデータ通信を行うためのものである。
【００５５】
［カルテ管理システムの動作］
次に、本実施形態に係るカルテ管理システム１の動作について説明する。図８は、病院において、電子ペン１０によりカルテ用紙２０に診察記録等が記入される様子を示す概念図である。図９は図８の場合におけるカルテ管理装置２７の処理を示すフローチャートである。
【００５６】
先ず、例えば、病院の受付において、患者に電子ペン１０及びカルテ用紙２０が渡され、必要事項（受診日、ＩＤ（識別情報）、患者の氏名等）の記入が促される。これに対し、患者は、電子ペン１０を用いてカルテ用紙２０上に必要事項を記入する。即ち、患者は、カルテ用紙２０上の受診日記入欄３５に受診日を、ＩＤ記入欄３６にＩＤを、患者情報記入欄３７に患者の氏名，住所，電話番号，生年月日を、それぞれ記入する。このような記入が行われる間に、電子ペン１０は、筆圧の配列データ及びＸ／Ｙ座標データを依頼人記入データとして取得し、タイムスタンプ（時間情報）と関連付けてメモリ１２に記憶していく（図８の（ａ））。なお、ＩＤ記入欄３６には、例えば、患者の診察カードに記載されたその患者固有の識別番号が記入される。
【００５７】
次に、患者が必要事項の記入を終え、送信ボックス４１内に電子ペン１０でチェックを記入すると、電子ペン１０は、送信ボックス４１内のドットパターンを読み取り、メモリ１２内に記憶された記入データを、Ｂｌｕｅｔｏｏｔｈトランシーバ１３を介して無線通信により端末装置２５に送信する（図８の（ｂ））。
【００５８】
次に、端末装置２５は、記入データを受信すると、ネットワーク２９を介してカルテ管理装置２７に当該記入データを送信する（図８の（ｃ））。
【００５９】
次に、図９の処理において、カルテ管理装置２７は、端末装置２５から送信された記入データを受信する（ステップＳ１）。次に、カルテ管理装置２７は、記入データ登録手段として、受信された記入データをカルテ管理データベース２７２ａに登録する（ステップＳ２）。ここで、カルテ管理装置２７は、受信された記入データの文字認識によりカルテ用紙２０に記入された内容（例えば、ＩＤ（識別情報））を認識し、上記記入データに対応付けてカルテ管理データベース２７２ａに登録する。また、カルテ管理装置２７は、画像データ作成手段として、受信された記入データに基づいて、カルテ用紙２０に記入された内容を表す画像データを作成し、その画像データを、上記記入データに対応付けてカルテ管理データベース２７２ａに登録する。
【００６０】
次に、患者は、Ａ診察室へ入り医師Ａの問診、診察を受けることになる。その際、医師Ａには、先ほど患者により必要事項が記入されたカルテ用紙２０が渡される。医師Ａは、電子ペン１０を用いてカルテ用紙２０上の診察記録記入欄３８に診察結果を、投薬内容記入欄３９に投薬内容を記入する。このような記入（追加記入）が行われる間に、電子ペン１０は、筆圧の配列データ及びＸ／Ｙ座標データを追加記入データとして取得し、タイムスタンプ（時間情報）と関連付けてメモリ１２に記憶していく（図８の（ｄ））。
【００６１】
次に、医師Ａが、患者の診察を終え、送信ボックス４１内に電子ペン１０でチェックを記入すると、電子ペン１０は、送信ボックス４１内のドットパターンを読み取り、メモリ１２に記憶された追加記入データを、Ｂｌｕｅｔｏｏｔｈトランシーバ１３を介して無線通信により端末装置２５に送信する（図８の（ｅ））。
【００６２】
次に、端末装置２５は、上記追加記入データを受信すると、ネットワーク２９を介して、当該追加記入データをカルテ管理装置２７に送信する（図８の（ｆ））。
【００６３】
次に、図９の処理において、カルテ管理装置２７は、端末装置２５から送信された追加記入データを受信する（ステップＳ３）。
【００６４】
次に、カルテ管理装置２７は、登録判断手段として、受信された追加記入データに対応する記入データがカルテ管理データベース２７２ａに登録されているか否かを判断する（ステップＳ４）。これは、前述のカルテ番号など、カルテ用紙毎の識別番号を利用して行う。つまり、カルテ番号などのカルテ識別情報を利用して、カルテ管理装置２７は、追加記入データが、どのカルテ用紙のデータであるかを認識することができ、これにより、追加記入データに対応する記入データが既に登録されているかを判断することができる。これにより、例えば、多くの患者が存在したとしても、患者一人一人に渡されるカルテ用紙２０をカルテ管理装置２７にて識別することができる。
【００６５】
ステップＳ４にて追加記入データに対応する記入データが登録されていると判断された場合には、カルテ管理装置２７は、追加記入データ登録手段として、その記入データに対応付けて当該追加記入データを、カルテ管理データベース２７２ａに登録する（ステップＳ５）。一方、ステップＳ４にて追加記入データに対応する記入データが登録されていないと判断された場合には、カルテ管理装置２７は、当該追加記入データを記入データとしてカルテ管理データベース２７２ａに登録する（ステップＳ６）。ここで、カルテ管理装置２７は、当該追加記入データの文字認識によりカルテ用紙２０に記入された内容を認識し、上記追加記入データに対応付けてカルテ管理データベース２７２ａに登録する。また、カルテ管理装置２７は、画像データ作成手段として、当該追加記入データに基づいて、カルテ用紙２０に記入された内容を表す画像データを作成し、その画像データを、当該追加記入データに対応付けてカルテ管理データベース２７２ａに登録する。
【００６６】
このように、あるカルテ用紙２０に記入された内容は、全て対応付けられてカルテ管理データベース２７２ａに登録されることになる。
【００６７】
次に、患者は、次のＢ診察室へ入り医師Ｂの問診、診察を受ける場合、医師Ｂには、先ほど患者により必要事項が記入されたカルテ用紙２０が渡される。医師Ｂは、電子ペン１０を用いてカルテ用紙２０上の診察記録記入欄３８に診察結果を、投薬内容記入欄３９に投薬内容を記入する。このような記入（追加記入）が行われる間に、電子ペン１０は、筆圧の配列データ及びＸ／Ｙ座標データを追加記入データとして取得し、タイムスタンプ（時間情報）と関連付けてメモリ１２に記憶していく（図８の（ｇ））。
【００６８】
次に、医師Ｂが、患者の診察を終え、送信ボックス４１内に電子ペン１０でチェックを記入すると、電子ペン１０は、送信ボックス４１内のドットパターンを読み取り、メモリ１２に記憶された追加記入データを、Ｂｌｕｅｔｏｏｔｈトランシーバ１３を介して無線通信により端末装置２５に送信する（図８の（ｈ））。
【００６９】
次に、端末装置２５は、上記追加記入データを受信すると、ネットワーク２９を介して、当該追加記入データをカルテ管理装置２７に送信する（図８の（ｉ））。
【００７０】
こうして、送信された追加記入データを受信すると、カルテ管理装置２７は、上記と同様に、図９に示すステップＳ４〜Ｓ６の処理を実行する。なお、その後も、診察或いは検査にて、そのカルテ用紙２０に診察内容が記入される度に、そこに追加記入された内容が、既に登録された内容に対応付けられてカルテ管理データベース２７２ａに登録されていくことになる。
【００７１】
そして、上記医師の診察中或いは診察後に、例えば、病院の薬局にいる薬剤師が、そこに設置された端末装置２８のキーボード（識別情報入力装置として機能）から患者ＩＤ（識別情報）を入力するとともに、投薬内容を要求するための指令をネットワーク２９を介してカルテ管理装置２７に送ると、カルテ管理装置２７は、データ提示手段として、これに応じ、入力された患者ＩＤに基づいて、カルテ管理データベース２７２ａに登録された記入データを端末装置２８に対して提示する（（図８の（ｊ））。より具体的には、カルテ管理装置２７は、入力された患者ＩＤに対応する投薬内容をカルテ管理データベース２７２ａから取得し、ネットワーク２９を介して端末装置２８に送信する。これにより、端末装置２８では、そのディスプレイ上に患者ＩＤ及び投薬内容が表示され、それを見た薬剤師は、未だカルテ用紙２０が薬局に届いていなくても、迅速に、調剤行為或いは準備に入ることができる。
【００７２】
なお、上記の例においては、１つのカルテ用紙２０に対して患者、医師Ａ及び医師Ｂが必要事項を記入する。この場合において、カルテ用紙２０と１対１で電子ペン１０が用意され、カルテ用紙２０と一緒に患者や医師の間を移動する場合には問題は無いが、患者、医師Ａ及び医師Ｂがそれぞれ異なる電子ペン１０を使用する場合には、各人がそれぞれ記入データを送信する際にカルテ番号や患者番号などの識別番号をカルテ用紙２０に記入する必要がある。これにより、異なる電子ペン１０で記入された記入データと、カルテ番号などの識別番号との対応付けがなされ、カルテ管理装置２７による管理が可能となる。
【００７３】
なお、薬局の薬剤師ばかりでなく、カルテ管理装置２７にネットワーク２９を介して接続された端末装置２５を操作する医師等もキーボードから患者ＩＤを入力しそれに対応する記入データを要求することができる。かかる要求に応じ、カルテ管理装置２７は、要求された記入データを文字認識後のテキストデータ或いは、画像データで端末装置２５に提示することになる。
【００７４】
上記の例では、医師又は薬剤師が、端末装置２５又は端末装置２８から患者ＩＤに対応する記入データの提示をカルテ管理装置２７に要求するに当たって、当該患者ＩＤの入力をキーボードから行うように構成した。別の例として、端末装置２５又は端末装置２８に、患者ＩＤが記録された記録媒体から当該患者ＩＤを読み取り、入力する識別情報読取装置を接続するように構成してもよい。この場合、例えば、患者の診察カード（磁気カード、或いはＩＣカード）等に患者ＩＤを記録しておき、医師又は薬剤師が、診察カードを識別情報入力装置に通すことによって、当該診察カードから患者ＩＤを読み取り入力させることになる。
【００７５】
以上説明したように、上記実施形態によれば、あるカルテ用紙２０に時間をおいて順次記入された内容が自動的に対応付けられてカルテ管理データベース２７２ａに登録されるので、紙のカルテが使用される場合においても、データ管理、検索等を容易にさせることができる。特に、総合病院などの大きな医療施設で、医師等により多岐にわたる診察や検査が行われる場合に有効である。
【００７６】
また、医師は、自らデータとしての入力を意識することなく、従来と同様に紙のカルテに診察記録等を記入することができるので、診察等の迅速化を維持することができる。
【００７７】
また、医師等は、患者ＩＤ（識別情報）の入力により過去のカルテを端末装置２５のディスプレイ上で簡単に見ることができる。
【００７８】
さらに、カルテ管理データベース２７２ａには、カルテ用紙２０に記入された内容を表す画像データが登録されているので、医師は、過去に自分がカルテ用紙２０に記入した自筆の内容をディスプレイ上で確認することができる。また、カルテ用紙に対して医師等が記入した内容が画像データとして登録されるので、医師等が記入したコメントなどの文字に限らず、患部の様子などを医師等が図示した絵図もそのまま電子データとして登録しておくことができる。
【００７９】
なお、上記実施形態においては、カルテ番号などのカルテ識別情報を利用して、追加記入データに対応する記入データがカルテ管理データベース２７２ａに登録されているか否かを判断するように構成したが、その代わりに、以下の方法により、カルテ管理装置２７は患者ＩＤを利用して、追加記入データに対応する記入データがカルテ管理データベース２７２ａに登録されているか否かを判断することができる。
【００８０】
例えば、上記図８（ｅ）及び（ｈ）において、医師が、患者の診察を終え、送信ボックス４１内に電子ペン１０でチェックを記入すると、追加記入データが端末装置２５に送信される。ここで、端末装置２５は、かかる追加記入データを直ぐにカルテ管理装置２７に送信せずに、患者ＩＤの入力を待つ。
【００８１】
そして、医師が、端末装置２５に接続された識別情報読取装置に、例えば、患者の診察カード（磁気カード、或いはＩＣカード）を通し、患者ＩＤを読み取らせ端末装置２５に入力させると、端末装置２５は、入力された患者ＩＤと追加記入データとを対応付けてカルテ管理装置２７に送信する。なお、医師が、端末装置２５のキーボードを操作して患者ＩＤを入力するようにしてもよいが、識別情報読取装置により患者ＩＤを読み取り入力させた方が、入力ミス等を防止することができる。
【００８２】
次いで、カルテ管理装置２７は、登録判断手段として、入力された患者ＩＤに基づいて、追加記入データに対応する記入データがカルテ管理データベース２７２ａに登録されているか否かを判断する。つまり、図８の（ａ）において、カルテ用紙２０上のＩＤ記入欄３６に記入された患者ＩＤが、カルテ管理データベース２７２ａに登録されているため、カルテ管理装置２７は、患者ＩＤにより、追加記入データに対応する記入データがカルテ管理データベース２７２ａに登録されているか否かを判断することができる。
【００８３】
なお、カルテ用紙２０上には、カルテ管理データベース２７２ａに登録された情報と同じ情報がインクにより記述されているので、かかるカルテ用紙２０を残しておけば、何らかのトラブルが生じた際に、カルテ用紙２０自体を利用することができる。
【００８４】
また、カルテ用紙２０に診察終了欄を設け、医師がかかる欄に電子ペン１０でチェックを記入すると、診察終了を示す情報がカルテ管理装置２７及び受付の端末装置２５に送信されるように構成しておけば、受付では、精算の準備等に迅速に入ることができる。
【００８５】
なお、上記の説明では、同一フォーマットのカルテ用紙上には同一のドットパターンが印刷されていることとしているが、カルテ用紙毎に異なるドットパターンが印刷されている場合には、そのカルテ用紙に対して記入を行うことにより、そのカルテ用紙の識別情報を自動的に取得することができる。
【００８６】
また、図６に示したカルテ用紙の例では、患部などの診療部位を図示した記入欄４０内には、カルテ用紙２０内における位置情報に対応するドットパターンが形成されているが、その代わりに、診療部位毎に予め固有のドットパターンを割り当てておくこともできる。例えば、診療部位として全身、胸部、胃部などがある場合、それぞれに対して固有のドットパターンを割り当てることができる。これにより、特定の診療部位上の特定位置に対して医師が記入をした場合には、カルテ用紙の様式を問わず、その診療部位上の記入位置を示すデータを取得することが可能となる。
【００８７】
【発明の効果】
以上説明したように、本発明によれば、あるカルテ用紙に時間をおいて順次記入された内容が自動的に対応付けられてデータベースに登録されるので、紙のカルテが使用される場合においても、データ管理、検索等を容易にさせることができる。
【図面の簡単な説明】
【図１】カルテ管理システムの全体構成例を示す図である。
【図２】電子ペンの構造を示す機能ブロック図である
【図３】カルテ用紙に印刷されたドットパターンによる情報の表現方法を説明するための図である。
【図４】ドットパターン及びそれに対応する情報の例を示す図である。
【図５】カルテ用紙の構造の一例を示す図である。
【図６】カルテ用紙における図案の一例を示す図である。
【図７】カルテ管理装置の構造を示す機能ブロック図である。
【図８】病院において、電子ペン１０によりカルテ用紙２０に診察記録等が記入される場合ようすを示す概念図である。
【図９】図８の場合におけるカルテ管理装置の処理を示すフローチャートである。
【図１０】カルテ用紙に対する識別情報の記入方法例を示す図である。
【符号の説明】
１　カルテ管理システム
１０　電子ペン
１１　プロセッサ
１２　メモリ
１３　トランシーバ
１４　バッテリー
１５　ＬＥＤ
１６　カメラ
１７　ペン先部
２０　カルテ用紙
２５　端末装置
２７　カルテ管理装置
２８　端末装置
２９　ネットワーク
【図１】
2004054375.tif 000003
【図２】
2004054375.tif 000004
【図３】
2004054375.tif 000005
【図４】
2004054375.tif 000006
【図５】
2004054375.tif 000007
【図６】
2004054375.tif 000008
【図７】
2004054375.tif 000009
【図８】
2004054375.tif 000010
【図９】
2004054375.tif 000011
【図１０】
2004054375.tif 000012